(57)【要約】【課題】非接触ＩＣタグを持ち込まずに登録作業ができ、利用者の利便性を向上させることのできるＩＣタグ付携帯電話通信システムを得ることを目的とする。【解決手段】個人情報が登録される非接触ＩＣタグ１３を有する携帯電話１と、通信回線を介して携帯電話１に個人情報を送信する情報書込管理装置２と、非接触ＩＣタグ１３に登録された個人情報を読み出す非接触ＩＣリーダー３とを備えており、携帯電話１は、携帯電話１の動作を制御する携帯電話制御回路１２と、携帯電話制御回路１２に接続され、携帯電話制御回路１２から非接触ＩＣタグ１３に対してアクセスするＩＣタグアクセス回路１４とを含み、携帯電話制御回路１２が情報書込管理装置２から個人情報を受信した場合に、ＩＣタグアクセス回路１４は非接触ＩＣタグ１３に個人情報を登録する。【選択図】        図１
2004320438.tif 000002
【特許請求の範囲】
【請求項１】
個人情報が登録されるＩＣタグを有する携帯電話と、
通信回線を介して前記携帯電話に前記個人情報を送信する情報書込管理装置と、
前記ＩＣタグに登録された個人情報を読み出す情報読出装置とを備え、
前記携帯電話は、
前記携帯電話の動作を制御する携帯電話制御回路と、
前記携帯電話制御回路に接続され、前記携帯電話制御回路から前記ＩＣタグに対してアクセスするＩＣタグアクセス回路とを含み、
前記携帯電話制御回路が前記情報書込管理装置から前記個人情報を受信した場合に、前記ＩＣタグアクセス回路は、前記ＩＣタグに前記個人情報を登録することを特徴とするＩＣタグ付携帯電話通信システム。
【請求項２】
前記ＩＣタグには、前記情報読出装置による前記個人情報の読み出しを禁止するための使用不可情報があらかじめ格納されており、
前記携帯電話制御回路は、前記情報書込管理装置から前記使用不可情報の変更指令が送信された場合に、前記変更指令の内容に応じて前記使用不可情報を変更し、
前記情報読出装置は、前記使用不可情報が使用不可を示す場合に、前記個人情報の読み出しを中止し、前記使用不可情報が使用可を示す場合に、前記個人情報の読み出しを行うことを特徴とする請求項１に記載のＩＣタグ付携帯電話通信システム。
【請求項３】
前記ＩＣタグには、前記携帯電話の電源投入時間に対応した電源カウンタ情報が格納されており、
前記電話制御回路は、前記携帯電話の電源投入期間中に前記電源カウンタ情報を順次更新し、
前記情報読出装置は、所定時間の経過前後での各電源カウンタ情報が一致した場合に、前記個人情報の読み出しを中止し、前記各電源カウンタ情報が不一致の場合に、前記個人情報の読み出しを行うことを特徴とする請求項１に記載のＩＣタグ付携帯電話通信システム。
【発明の詳細な説明】
【０００１】
【発明の属する技術分野】
この発明は、出入通行制御や電子マネーなどに用いられるＩＣタグを利用したＩＣタグ付携帯電話通信システムに関するものである。
【０００２】
【従来の技術】
従来のＩＣタグ付携帯電話は、携帯電話機能と非接触形式のＩＣタグ（カード）機能とを持ち、携帯電話機能部と非接触ＩＣタグ（カード）機能部とは、少なくともアンテナ部と表示部とスイッチ操作部との何れか１つを共用する構成としている。また、携帯電話機能部と非接触ＩＣタグ機能部とは、制御部を介してアンテナ部と表示部とスイッチ部とが共用される構成としている。また、非接触ＩＣタグ機能部は、カード形式もしくはキーホルダー形式のものである。非接触ＩＣタグ機能部は、専用の書き込み装置で社員番号や金額情報が書き込まれ、出入通行制御や電子マネーの個人認証等に利用されている（例えば、特許文献１参照）。
【０００３】
【特許文献１】
特開２００２−８４３４５号公報（第４頁、第１図）
【０００４】
【発明が解決しようとする課題】
このようなＩＣタグ付携帯電話を用いた従来のＩＣタグ付携帯電話通信システムは以上のように、非接触ＩＣ機能部に書き込まれた個人情報を用いて、出入通行制御時の個人認証や電子マネーに利用している。しかし、最初に個人認証や電子マネーに利用する時には、まず管理者が非接触ＩＣ機能部を管理センターに持ち込み、専用の書き込み装置で出入通行制御や電子マネーに利用する個人管理番号等の個人情報を非接触ＩＣ機能部に初期登録する必要があり、利用者の利便性を損なっているという問題点があった。
また、非接触ＩＣタグ機能部を紛失してしまうと、個人情報を他人に悪用される恐れがあるという問題点があった。
【０００５】
この発明は上記のような問題点を解決するためになされたもので、非接触ＩＣタグを持ち込まずに登録作業ができ、利用者の利便性を向上させることのできるＩＣタグ付携帯電話通信システムを得ることを目的とする。
また、紛失時の悪用を防止することのできるＩＣタグ付携帯電話通信システムを得ることを目的とする。
【０００６】
【課題を解決するための手段】
この発明に係るＩＣタグ付携帯電話通信システムは、個人情報が登録されるＩＣタグを有する携帯電話と、通信回線を介して携帯電話に個人情報を送信する情報書込管理装置と、ＩＣタグに登録された個人情報を読み出す情報読出装置とを備えたものである。また、携帯電話は、携帯電話の動作を制御する携帯電話制御回路と、携帯電話制御回路に接続され、携帯電話制御回路からＩＣタグに対してアクセスするＩＣタグアクセス回路とを含む。携帯電話制御回路が情報書込管理装置から個人情報を受信した場合に、ＩＣタグアクセス回路はＩＣタグに個人情報を登録する。
【０００７】
【発明の実施の形態】
実施の形態１．
以下、図面を参照しながら、この発明の実施の形態１について詳細に説明する。図１は、この発明の実施の形態１の非接触ＩＣタグ付携帯電話通信システムを示す構成図である。
図１において、非接触ＩＣタグ付携帯電話通信システムは、個人が所有する携帯電話に非接触ＩＣタグ１３が接続された非接触ＩＣタグ付携帯電話１、非接触ＩＣタグ１３内の情報を、通信を利用して遠隔地から書き込む情報書込管理装置２、および非接触ＩＣタグ１３内の情報を非接触で読み込む非接触ＩＣリーダー（情報読出装置）３により構成される。
【０００８】
非接触ＩＣタグ付携帯電話１は、携帯電話の通信を制御する携帯電話制御回路１２と、集積回路（ＩＣ：Ｉｎｔｅｇｒａｔｅｄ  Ｃｉｒｃｕｉｔ）、メモリ等が装備され、個人管理番号等、出入管理や電子マネー利用時に用いられる情報を格納する非接触ＩＣタグ１３と、携帯電話制御回路１２と非接触ＩＣタグ１３を接続し、携帯電話制御回路１２から非接触ＩＣタグ１３にアクセスするためのＩＣタグアクセス回路１４とを備えている。
この非接触ＩＣタグ１３は、ＩＣ、メモリ等が装備されたカード、又はキーホルダー形式のものである。
【０００９】
また、非接触ＩＣリーダー３は、アクセスが許可されている非接触ＩＣタグ１３のセキュリティキーがあらかじめ格納されており、非接触ＩＣタグ１３を非接触ＩＣリーダー３に近づけると、アクセスが許可された非接触ＩＣタグ１３であれば通信して、非接触ＩＣタグ１３に書き込まれた情報を読み出す。
また、情報書込管理装置２は、管理センター等に設置され、アンテナ１１を介して各非接触ＩＣタグ付携帯電話１と通信し、各非接触ＩＣタグ１３にアクセスして、非接触ＩＣタグ１３の格納情報の書き込みデータを送信する。
図２は、非接触ＩＣタグ１３内のデータ格納構造を示す構成図である。
図２において、非接触ＩＣタグ１３内のデータ格納構造は、領域ａ〜ｄに分けられており、各領域にデータが格納される。領域ａには非接触ＩＣリーダー３との通信時に認証を行うためのセキュリティキー１３１、領域ｂにはデータを使用しても良いかどうかを示す使用可否情報（使用不可情報）１３２、領域ｃには携帯電話の電源投入時、所定時間毎にカウントアップされる電源カウンタ情報１３３、領域ｄには出入管理や電子マネーに利用される個人管理番号等の個人情報がアプリケーション情報１３４に格納される。
【００１０】
次に、この発明の実施の形態１による動作について説明する。
まず、非接触ＩＣタグ１３への情報の書き込み、更新について説明する。
図３は、この発明の実施の形態１による非接触ＩＣタグ付携帯電話１の動作を示すフローチャートである。
図３において、携帯電話の電源が投入されると、携帯電話制御回路１２は、所定時間毎に電源カウンタ値をカウントアップして非接触ＩＣタグ１３の電源カウンタ情報１３３に書き込む（ステップＳ１０１）。
管理センターに設置された情報書込管理装置２を用いて、管理者は書き込みデータを送信させる。携帯電話制御回路１２がアンテナ１１を介して通信データを受信すると、通信データが非接触ＩＣタグ１３の書き込みデータであるか否かを判定する（ステップＳ１０２）。
【００１１】
ステップＳ１０２において、通信データが非接触ＩＣタグ１３の書き込みデータではない場合（すなわち、ＮＯ）、ステップＳ１０１に戻る。また、通信データが非接触ＩＣタグ１３の書き込みデータである場合（すなわち、ＹＥＳ）、書き込みデータの内容が使用可否情報１３２の更新に関するものか否かを判定する（ステップＳ１０３）。
ステップＳ１０３において、書き込みデータの内容が使用可否情報１３２の更新に関するものである場合（すなわち、ＹＥＳ）、書き込みデータの内容に応じて、「使用可」または「使用不可」と使用可否情報１３２を更新し（ステップＳ１０４）、ステップＳ１０１に戻る。
また、ステップＳ１０３において、書き込みデータの内容が使用可否情報１３２の更新に関するものでない場合（すなわち、ＮＯ）、書き込みデータは、アプリケーション情報１３４の書き込みに関するものであると見なし、個人管理番号等のアプリケーション情報１３４の書き込みを行う。
以上のような方法で、非接触ＩＣタグ１３内の情報の書き込み、更新が行われる。
【００１２】
次に、出入管理や電子マネー利用時における非接触ＩＣタグ１３内の情報の読み出しについて説明する。
図４は、この発明の実施の形態１による非接触ＩＣリーダー３の動作を示すフローチャートである。
図４において、非接触ＩＣリーダー３は、セキュリティキーを認証情報としてポーリング（ｐｏｌｌｉｎｇ）を行う（ステップＳ２０１）。
ポーリングを行った結果、セキュリティキーが一致する非接触ＩＣタグ１３からの応答があったか否かを判定する（ステップＳ２０２）。
ステップＳ２０２において応答が無い場合には（すなわち、ＮＯ）、ステップＳ２０１に戻り、ポーリングを続ける。また、ステップＳ２０２において応答が有った場合には（すなわち、ＹＥＳ）、非接触ＩＣタグ１３の使用可否情報１３２を照会して、使用が認められているか否かを判定する（ステップＳ２０３）。
【００１３】
ステップＳ２０３において、使用が認められていないと判定された場合（すなわち、ＮＯ）、ブザー等で警告して（ステップＳ２０４）、ステップＳ２０１に戻る。また、ステップＳ２０３において、使用が認められていると判定された場合（すなわち、ＹＥＳ）、非接触ＩＣタグ１３の電源カウンタ情報１３３を照会する（ステップＳ２０５）。
また、ステップＳ２０５による電源カウンタ情報１３３の照会から所定時間経過後、電源カウンタ情報１３３を再度照会する（ステップＳ２０６）。
ステップＳ２０５において照会した電源カウンタ情報と、所定時間経過後、ステップＳ２０６において照会した電源カウンタ情報とが不一致か否かを判定する（ステップＳ２０７）。
【００１４】
ステップＳ２０７において、所定時間経過前後の電源カウンタ情報１３３が不一致の場合には（すなわち、ＹＥＳ）、非接触ＩＣタグ付携帯電話１の電源が投入されていると見なし、アプリケーション情報１３４を読み出し（ステップＳ２０７）、出入管理や電子マネーの処理を行い、ステップＳ２０１に戻る。
また、ステップＳ２０７において、所定時間経過前後の電源カウンタ情報１３３が一致する場合には（すなわち、ＮＯ）、非接触ＩＣタグ付携帯電話１の電源が投入されていないと見なし、ブザー等で非接触ＩＣタグ付携帯電話１の電源が投入されていないことをメッセージ等で警告し（ステップＳ２０４）、ステップＳ２０１に戻る。
【００１５】
電源カウンタ情報１３３は、電源が投入時にカウントアップされる情報なので、電源カウンタ情報１３３の変化で電源が投入されているか否かを判定することができる。
例えば、出入管理で利用される場合、あらかじめ入室が許可されている人でも、入室時に携帯電話１の所有者に連絡できるように、通信、通話可能な人だけに入室が許可される。
また、携帯電話１を紛失し、使用可否情報１３２が書き替えられないように電源をＯＦＦにしても、電源がＯＦＦの状態では個人情報を読み出すことができない。
【００１６】
このように、個人情報などのアプリケーション情報１３４を初期登録する場合には、該当する携帯電話１とデータ通信して、非接触ＩＣタグ１３に個人情報を書き込むので、管理者が非接触ＩＣタグ１３を管理センター等に持ち込まなくても初期登録作業をすることができる。
また、非接触ＩＣタグ付携帯電話１の保持者が携帯電話１を紛失しても、非接触ＩＣタグ付携帯電話１に通信して、個人情報を読み出すことができないようにすることができるので、個人情報の悪用を防止することができる。
また、電源投入時に定期的に更新される電源カウンタ情報１３３が非接触ＩＣタグ１３に格納され、電源カウンタ情報１３３の変化で電源が投入されているか否かを判定するので、非接触ＩＣタグ１３内の情報の読み出しができる携帯電話を、電源投入され、通話可能な携帯電話だけに限定することができる。
【００１７】
なお、本実施の形態１では、使用可否情報１３２の内容に応じてアプリケーション情報１３４の使用可否を決定したが、アプリケーション情報１３４のデータが破壊されているか否かで使用可否を決定しても良い。
また、携帯電話の電源が投入されているか否かをカウンタ値の比較で判定したが、現在の日時など、電源投入時において定期的に更新される情報で判定しても良い。
【００１８】
【発明の効果】
以上のように、この発明によれば、個人情報が登録される非接触ＩＣタグ１３を有する携帯電話１と、通信回線を介して携帯電話１に個人情報を送信する情報書込管理装置２と、非接触ＩＣタグ１３に登録された個人情報を読み出す非接触ＩＣリーダー３とを備えており、携帯電話１は、携帯電話１の動作を制御する携帯電話制御回路１２と、携帯電話制御回路１２に接続され、携帯電話制御回路１２から非接触ＩＣタグ１３に対してアクセスするＩＣタグアクセス回路１４とを含み、携帯電話制御回路１２が情報書込管理装置２から個人情報を受信した場合に、ＩＣタグアクセス回路１４は非接触ＩＣタグ１３に個人情報を登録するので、個人情報などのアプリケーション情報１３４を初期登録する場合には、該当する携帯電話１とデータ通信して、非接触ＩＣタグ１３に個人情報を書き込むので、管理者が非接触ＩＣタグ１３を管理センター等に持ち込まなくても初期登録作業をすることができ、利用者の利便性を向上させることのできるＩＣタグ付携帯電話通信システムが得られる効果がある。
【図面の簡単な説明】
【図１】この発明の実施の形態１の非接触ＩＣタグ付携帯電話通信システムを示す構成図である。
【図２】非接触ＩＣタグ内のデータ格納構造を示す構成図である。
【図３】この発明の実施の形態１による非接触ＩＣタグ付携帯電話の動作を示すフローチャートである。
【図４】この発明の実施の形態１による非接触ＩＣリーダーの動作を示すフローチャートである。
【符号の説明】
１  非接触ＩＣタグ付携帯電話、２  情報書込管理装置、３  非接触ＩＣリーダー、１１  アンテナ、１２  携帯電話制御回路、１３  非接触ＩＣタグ、１４ＩＣタグアクセス回路、１３１  セキュリティキー、１３２  使用可否情報、１３３  電源カウンタ情報、１３４  アプリケーション情報。
【図１】
2004320438.tif 000003
【図２】
2004320438.tif 000004
【図３】
2004320438.tif 000005
【図４】
2004320438.tif 000006